(57)【要約】【課題】  コンタクト端子と電気部品との接圧を確保することができると共にハウジングが自動実装に対応可能な電気部品用ソケットを提供すること。【解決手段】  底面に複数の接触部を有する電気部品５０が装着される上方に開放した箱状のハウジング１と、電気部品５０の接触部が当接する接続部１１を有するコンタクト端子１０とからなる電気部品用ソケットにおいて、ハウジング１は底面３中央部に自動実装用の吸着面７を備えると共に、吸着面７の周囲にコンタクト端子１０の下部を収容し上方に開口部９ａを有した収容部９を備え、吸着面７は収容部９の開口部９ａに向かって突出する庇状の補助吸着面８を有してなる。【選択図】  図１
2006331773.tif 000002
【特許請求の範囲】
【請求項１】
底面に複数の接触部を有する電気部品が装着される上方に開放した箱状のハウジングと、上記電気部品の接触部が当接する接続部を有するコンタクト端子とからなる電気部品用ソケットにおいて、
上記ハウジングは底面中央部に自動実装用の吸着面を備えると共に、該吸着面の周囲に上記コンタクト端子の下部を収容し上方に開口部を有した収容部を備え、
上記吸着面は上記収容部の開口部に向かって突出する庇状の補助吸着面を有してなることを特徴とする電気部品用ソケット。
【請求項２】
上記コンタクト端子の接続部は上記開口部よりも上方に配置されて上記電気部品の上記ハウジングへの装着に伴い上記開口部の高さまで移動し、上記補助吸着面は上記電気部品の装着により下方移動した上記コンタクト端子の接続部の位置近傍まで突出してなることを特徴とする請求項１記載の電気部品用ソケット。
【請求項３】
上記コンタクト端子は上記ハウジングの側壁に固定される固定部を有し、該固定部は上記ハウジングの側壁に対し下方から取付自在とされてなることを特徴とする請求項１または２記載の電気部品用ソケット。
【発明の詳細な説明】
【技術分野】
【０００１】
本発明は、電気部品を装着する電気部品用ソケットに関し、特に吸着ノズルによる自動実装が可能な電気部品用ソケットに関する。
【背景技術】
【０００２】
従来、電気部品を納める電気部品用ソケットには複数のコンタクト端子が並置されており、電気部品がハウジングに装着された際に、コンタクト端子を電気部品の底面に有する接触部と接触させて電気接続するものが使用されている。電気部品の接触部とコンタクト端子とを確実に接触させるため、コンタクト端子の先端である接続部をバネ等の弾性部と連係し、弾性力によって接触部との接圧を確保する。このような電気部品用ソケットとしては、例えば特許文献１に挙げるようなものがある。
【特許文献１】特許第２６０４９６９号公報
【０００３】
また、電気部品用ソケットはハウジングの底面を吸着ノズルにより吸着されて回路基板に自動実装される。実装機による自動実装は、電気部品用ソケットが並置されたロール状の供給用テープをレールに沿って実装機に供給し、実装機の吸着ノズルにより順次電気部品用ソケットを吸着して供給用テープから取りはずし、回路基板に配置することによって行う。
【発明の開示】
【発明が解決しようとする課題】
【０００４】
電気部品用ソケットを自動実装する場合には、ハウジングの底面が吸着ノズルにより吸着される吸着面となる。しかし、コンタクト端子をハウジングの底部に配置すると自動実装用の吸着面の面積が小さくなり、吸着ノズルで吸着できないことがある。また、吸着面を大きくするためコンタクト端子の長さを短くすると弾性部の弾性力が小さくなり電気部品との接圧を確保することができなくなる。
【０００５】
本発明は上記課題を鑑みてなされたものであり、コンタクト端子と電気部品との接圧を確保することができると共にハウジングが自動実装に対応可能な電気部品用ソケットを提供することを目的とする。
【課題を解決するための手段】
【０００６】
上記課題を解決するため、本発明に係る電気部品用ソケットは、底面に複数の接触部を有する電気部品が装着される上方に開放した箱状のハウジングと、上記電気部品の接触部が当接する接続部を有するコンタクト端子とからなる電気部品用ソケットにおいて、
上記ハウジングは底面中央部に自動実装用の吸着面を備えると共に、該吸着面の周囲に上記コンタクト端子の下部を収容し上方に開口部を有した収容部を備え、
上記吸着面は上記収容部の開口部に向かって突出する庇状の補助吸着面を有してなることを特徴として構成されている。
【０００７】
また、本発明に係る電気部品用ソケットは、上記コンタクト端子の接続部は上記開口部よりも上方に配置されて上記電気部品の上記ハウジングへの装着に伴い上記開口部の高さまで移動し、上記補助吸着面は上記電気部品の装着により下方移動した上記コンタクト端子の接続部の位置近傍まで突出してなることを特徴として構成されている。
【０００８】
さらに、本発明に係る電気部品用ソケットは、上記コンタクト端子は上記ハウジングの側壁に固定される固定部を有し、該固定部は上記ハウジングの側壁に対し下方から取付自在とされてなることを特徴として構成されている。
【発明の効果】
【０００９】
本発明に係る電気部品用ソケットによれば、吸着面は収容部の開口部に向かって突出する庇状の補助吸着面を有してなることにより、補助吸着面により吸着面の面積を大きくすることができると共に、補助吸着面の下部にコンタクト端子を配置できることにより、コンタクト端子の弾性部を長くすることができるので、コンタクト端子と電気部品の接触部との接圧を確保することができる。
【００１０】
さらに、本発明に係る電気部品用ソケットによれば、コンタクト端子の接続部は開口部よりも上方に配置されて電気部品のハウジングへの装着に伴い開口部の高さまで移動し、補助吸着面は電気部品の装着により下方移動したコンタクト端子の接続部の位置近傍まで突出してなることにより、コンタクト端子の接続部の電気部品の挿入に伴う下方移動を干渉することなく実装用の吸着面を大きくすることができる。
【００１１】
さらにまた、本発明に係る電気部品用ソケットによれば、コンタクト端子はハウジングの側壁に固定される固定部を有し、固定部はハウジングの側壁に対し下方から取付自在とされてなることにより、補助吸着面を形成しても容易にコンタクト端子をハウジングに取り付けることができる。
【発明を実施するための最良の形態】
【００１２】
本発明の実施形態について図面に添って詳細に説明する。図１は本実施形態における電気部品用ソケットと電気部品５０の斜視図、図２は本実施形態におけるハウジング１の平面図、図３は図２のＡ−Ａ断面図である。これら各図に示すように、本実施形態における電気部品用ソケットは、電気部品５０が装着されるハウジング１と、ハウジング１に複数設けられるものであって、電気部品５０と回路基板（図示しない）とを電気接続可能とするコンタクト端子１０とから構成される。また、電気部品５０にはハウジング１に装着した状態でカバー部材４０が上方から装着される。
【００１３】
ハウジング１に装着される電気部品５０は、数ミリメートル四方のシリコンなどの半導体を加工して、多数の回路素子を組み込み電子回路として機能するようにしたものである。本実施形態において電気部品５０は、さらに光学部品を組み込んだカメラモジュールとしている。ただし、電気部品５０としてはカメラモジュールには限られない。
【００１４】
また、電気部品５０は、底面に複数の接触部を有しており、ハウジング１に装着して接触部（図示しない）と細板状のコンタクト端子１０を接触させることで、電気部品５０の回路基板に対する電気接続が可能となる。電気部品５０の側面５１のうち１面には、側面５１から外方に突出した突出部５６が形成されており、後述するハウジング１の案内部３０に配置される。また、電気部品５０の側面５１には、後述するカバー部材４０の爪部４６と係合する被係合部５７が形成される。
【００１５】
電気部品５０を収容するハウジング１は樹脂等の絶縁材料から形成されると共に、上方が開放した箱状に形成される。ハウジング１は、上方から電気部品５０が挿入され嵌め込まれることによって、電気部品５０が装着された状態となる。また、図１及び図２に示すように、ハウジング１の側壁２のうち１面には、電気部品５０の側面５１に形成された突出部５６を配置する案内部３０が形成されている。また、案内部３０が形成されている側壁２以外の他の３面には、それぞれ電気部品５０の突出部５６と干渉する規制部３１を有し、規制部３１の上端部は側壁２の上端部と連続状に形成される。
【００１６】
このように電気部品５０は、突出部５６を有する側面５１と案内部３０を設けた側壁２とを対応させて挿入した場合にのみハウジング１に装着され、それ以外の向きではハウジング１の規制部３１と突出部５６が干渉してハウジング１に装着できないようにしている。したがって、電気部品５０を誤った向きでハウジング１に挿入することを防止できる。
【００１７】
また、ハウジング１は、図１に示すように各側壁２にそれぞれ接地部材６０を有している。接地部材６０は後述する金属製のカバー部材４０を回路基板に導通させるものであり、カバー部材４０と共に電気部品５０を静電気または電気的ノイズ等から保護する。接地部材６０は、図１及び３に示すように、ハウジング１の側壁２に固定される固定部６１と、回路基板に接合される接続部６２を有している。固定部６１は外面にカバー部材４０の弾性片４１と係合する凹部６３を有している。接地部材６０の接続部６２は断面Ｕ字状に形成され、下端部が回路基板に半田付け等によって接合される。
【００１８】
電気部品５０が装着されたハウジング１には、通電検査等の終了後カバー部材４０が上方から装着される。カバー部材４０は、図１に示すように電気部品５０を上方から覆うと共に、ハウジング１の外側面に係脱自在とされており、ハウジング１に装着することによって電気部品５０を保護する。カバー部材４０の上面は電気部品５０の上部に組み込まれた光学部品が露出するように開口部４５が形成される。そして、開口部４５の縁部には、電気部品５０の側面５１に形成される被係合部５７に係合する爪部４６が複数形成される。カバー部材４０をハウジング１に装着すると、爪部４６によって電気部品５０を上方から押さえることになり、電気部品５０がハウジング１から抜け出ることが防止される。
【００１９】
また、カバー部材４０の側面はハウジング１の接地部材６０に対応した位置に弾性片４１を有している。弾性片４１は、カバー部材４０の側面の一部を内方に折り曲げて弾性を持たせたものである。接地部材６０の固定部６１は外面に凹部６３を有しているので、カバー部材４０をハウジング１に装着すると弾性片４１が固定部６１の凹部６３に係合してカバー部材４０と接地部材６０が導通し、電気部品５０を静電気または電気的ノイズ等から保護すると共にカバー部材４０がハウジング１から外れにくくなる。
【００２０】
ハウジング１に複数設けられるコンタクト端子１０は、金属等の導電性材料から形成され、その先端部に形成される接続部１１が電気部品５０の接触部と対応してハウジング１内に配置される。接続部１１は電気部品５０の接触部との接触を確実にするために上部を断面略半円状に形成されている。また、コンタクト端子１０はハウジング１の側壁２内に固定される固定部１２と、固定部１２の下端部に接続される弾性部１８とを備え、弾性部１８の先端に接続部１１が形成される。
【００２１】
ハウジング１の側壁２はコンタクト端子１０の固定部１２を圧入する挿入部５を有している。挿入部５は側壁２の下端から側壁２内の所定位置まで形成されており、コンタクト端子１０の固定部１２を側壁２に対し下方から圧入することによってコンタクト端子１０を固定する。
【００２２】
コンタクト端子１０の弾性部１８は、図３に示すように固定部１２の下端部からハウジング１の内側に向かって延出する第１端子部１３と、第１端子部１３から第１折り曲げ部１４を介してハウジング１の側壁２側上方に向かって延出する第２端子部１５と、第２端子部１５から第２折り曲げ部１６を介してハウジング１の内側上方に向かって延出する第３端子部１７とを備え、第３端子部１７の先端に接続部１１が形成される。
【００２３】
またハウジング１は、図２に示すように底面３中央部に自動実装用の吸着面７を有している。ハウジング１の実装は、ハウジング１の底面３を実装機の吸着ノズルにより吸着して保持し、ハウジング１を回路基板（図示しない）に配置することによって行う。
【００２４】
また、吸着面７の周囲にはコンタクト端子１０の下部を収容する収容部９を有している。収容部９は上部にコンタクト端子１０の接続部１１を上方に突出させる開口部９ａを有している。
【００２５】
吸着面７は収容部９の開口部９ａに向かって突出する補助吸着面８を有している。補助吸着面８は図３に示すように吸着面７と面一に形成されると共に、庇状に形成される。補助吸着面８は、図２に示すように吸着面７からハウジング１の側壁２方向に突出状に形成され、各補助吸着面８間の部分と共に吸着面７と面一な平面を形成する。すなわち、実装用の吸着面を一回り大きくすることができる。これにより、コンタクト端子１０をハウジング１の底部に配置しても、自動実装に対応可能なハウジング１とすることができる。
【００２６】
また、補助吸着面８は庇状に形成されることから、補助吸着面８の下部にもコンタクト端子１０を配置することができ、弾性部１８の長さを長く取ることができる。これにより、弾性部１８の弾性力を強くすることができるので、コンタクト端子１０の接続部１１と電気部品５０の接触部とを確実に接触させることができる。
【００２７】
また、補助吸着面８はその先端をコンタクト端子１０の接続部１１の先端部が下方移動した際の収容部９の開口部９ａの高さにおける位置近傍まで突出するように形成される。このため、コンタクト端子１０の接続部１１の下方移動を阻害することなく、実装用の吸着面を大きくすることができる。
【００２８】
また、本実施形態におけるコンタクト端子１０は、固定部１２をハウジング１の側壁２に対し下方から挿入部５に圧入することによってハウジング１に固定されるので、補助吸着面８を形成してもコンタクト端子１０を容易に取り付けることができる。
【００２９】
本実施形態では、コンタクト端子１０の接続部１１は補助吸着面８よりもハウジング１の側壁２側に配置され、補助吸着面８の下部にはコンタクト端子１０の弾性部１８の一部である第１折り曲げ部１４が配置される。すなわち、接続部１１は第１折り曲げ部１４よりもハウジング１の側壁２側に配置される。このため、コンタクト端子１０の接続部１１が電気部品５０の挿入により下方に押されると、第１折り曲げ部１４と第２折り曲げ部１６による接続部１１のハウジング１内外方向の動きを打ち消すことができ、接続部１１を略鉛直下方に移動させることができる。これにより、接続部１１と電気部品５０の接触部との接触を確実にすることができると共に、接続部１１の変形、破損等の不具合の発生を防止することができる。
【００３０】
以上、本発明の実施形態について説明したが、本発明の適用はこれら実施形態には限られず、その技術的思想の範囲内において様々に適用されうるものである。例えば、ハウジング１内に並置されるコンタクト端子１０の数は、本実施形態に限られず、より多くてもよいし、より少なくてもよい。また、各コンタクト端子１０の配置についても本実施形態には限られず、電気部品５０の接触部の配置に対応して変更可能である。
【図面の簡単な説明】
【００３１】
【図１】本実施形態における電気部品用ソケットと電気部品の斜視図である。
【図２】本実施形態におけるハウジングの平面図である。
【図３】図２のＡ−Ａ断面図である。
【符号の説明】
【００３２】
１    ハウジング
２    側壁
３    底面
５    挿入部
７    吸着面
８    補助吸着面
９    収容部
９ａ  開口部
１０    コンタクト端子
１１    接続部
１２    固定部
１８    弾性部
４０    カバー部材
５０    電気部品
６０    接地部材
【図１】
2006331773.tif 000003
【図２】
2006331773.tif 000004
【図３】
2006331773.tif 000005